(57)【要約】【課題】ＦＭ多重データに住所等の場所を示す情報が含まれていた場合に、ユーザに対してその場所を容易に把握できるような表示を行う。【解決手段】ＣＰＵ４は、ＦＭ多重復調部２により復調されたＦＭ多重データに住所情報や電話番号情報が含まれていた場合、電話番号情報については電話番号／住所変換部１１により住所情報に変換した後に、その住所情報を表示するための地図情報を地図情報格納部１０から取得して住所情報の位置を示してＬＣＤ制御ドライバ５を介してＬＣＤ６に表示させる。【選択図】図１
2005340915.tif 000002
【特許請求の範囲】
【請求項１】
ＦＭ放送波を受信するためのＦＭチューナと、
前記ＦＭチューナにより受信された受信信号からＦＭ多重データを復調するＦＭ多重復調部と、
地図情報を表示可能な表示部と、
デジタル化された地図情報が格納されている地図情報格納部と、
電話番号情報と住所情報とが対応したデータベースを保持していて、入力された電話番号情報に対応する住所情報を検索して出力する電話番号／住所変換部と、
前記ＦＭ多重復調部により復調されたＦＭ多重データに住所情報が含まれていた場合、該住所情報を表示するための地図情報を前記地図情報格納部から取得して前記住所情報の位置を示して前記表示部に表示させ、前記ＦＭ多重復調部により復調されたＦＭ多重データに電話番号情報が含まれていた場合、該電話番号情報を前記電話番号／住所変換部に対して出力することにより前記電話番号情報に対応する住所情報を取得し、取得した該住所情報を表示するための地図情報を前記地図情報格納部から取得して前記住所情報の位置を示して前記表示部に表示させる制御部と、を備えたＦＭ多重受信機内蔵携帯電話端末装置。
【請求項２】
現在の位置情報を取得するＧＰＳ受信機をさらに備え、
前記制御部は、前記ＦＭ多重復調部により復調されたＦＭ多重データに住所情報または電話番号情報が含まれていた場合、前記住所情報の示す位置と前記ＧＰＳ受信機により取得された現在の位置、または前記電話番号情報に対応する住所情報の示す位置と前記ＧＰＳ受信機により取得された現在の位置との間の距離が、予め設定された一定の距離以内の場合には、ユーザに対してその旨の通知を行う請求項１記載のＦＭ多重受信機内蔵携帯電話端末装置。
【請求項３】
前記一定の距離を設定するための手段をさらに備えた請求項２記載のＦＭ多重受信機内蔵携帯電話端末装置。
【請求項４】
前記制御部は、予め設定された縮尺に基づいて前記表示部に表示する地図の縮尺を選択する機能を備えている請求項１から３のいずれか１項記載のＦＭ多重受信機内蔵携帯電話端末装置。
【発明の詳細な説明】
【技術分野】
【０００１】
本発明は、ＦＭ多重放送を受信するためのＦＭ多重受信機を内蔵したＦＭ多重受信機内蔵携帯電話端末装置に関する。
【背景技術】
【０００２】
近年、ＦＭ放送波に文字情報、交通情報等の様々な情報を多重して、受信機側でこれらの情報を表示器等に表示できるようにしたＦＭ多重方法システムが利用されている。そして、携帯電話端末装置の多機能化に伴い、ＦＭ多重方法を受信するためのＦＭ多重受信機を内蔵したＦＭ多重受信機内蔵携帯電話端末装置が提案されている（例えば、特許文献１参照。）。
【０００３】
しかし、この従来のＦＭ多重受信機内蔵携帯電話端末装置では、ＦＭ放送波に多重化されたデータを受信して表示することしか行われていなかった。例えば、あるレジャー施設に関する情報がＦＭ多重放送によりユーザに送られてきた場合でも、従来のＦＭ多重受信機内蔵携帯電話端末装置では、単にそのレジャー施設の住所、電話番号等の情報を表示することしか行われなかった。しかし、ただ単に住所や電話番号等の文字情報を表示されただけではユーザはそのレジャー施設の場所を把握することが困難な場合がある。特に、旅行等により地理的に不案内な地域に来ている場合には、現在の自分の場所すら正確に把握できていないこともあり、現在位置とその施設の場所との距離が近いのか離れているのかもわからないような場合もある。
【特許文献１】特開平８−８４１７２号公報
【特許文献２】特開２００２−２２３２７３号公報
【発明の開示】
【発明が解決しようとする課題】
【０００４】
上述した従来のＦＭ多重受信機内蔵携帯電話端末装置では、送信されてきたＦＭ多重データに住所等が含まれている場合でも、単にそれらの情報を表示するだけであるためユーザがその住所等が示す場所を把握することができない場合があるという問題点があった。
【０００５】
本発明の目的は、ＦＭ多重データに住所等の場所を示す情報が含まれていた場合に、ユーザに対してその場所を容易に把握できるような表示を行うことができるＦＭ多重受信機内蔵携帯電話端末装置を提供することである。
【課題を解決するための手段】
【０００６】
上記目的を達成するために、本発明のＦＭ多重受信機内蔵携帯電話端末装置は、ＦＭ放送波を受信するためのＦＭチューナと、
前記ＦＭチューナにより受信された受信信号からＦＭ多重データを復調するＦＭ多重復調部と、
地図情報を表示可能な表示部と、
デジタル化された地図情報が格納されている地図情報格納部と、
電話番号情報と住所情報とが対応したデータベースを保持していて、入力された電話番号情報に対応する住所情報を検索して出力する電話番号／住所変換部と、
前記ＦＭ多重復調部により復調されたＦＭ多重データに住所情報が含まれていた場合、該住所情報を表示するための地図情報を前記地図情報格納部から取得して前記住所情報の位置を示して前記表示部に表示させ、前記ＦＭ多重復調部により復調されたＦＭ多重データに電話番号情報が含まれていた場合、該電話番号情報を前記電話番号／住所変換部に対して出力することにより前記電話番号情報に対応する住所情報を取得し、取得した該住所情報を表示するための地図情報を前記地図情報格納部から取得して前記住所情報の位置を示して前記表示部に表示させる制御部とを備えている。
【０００７】
本発明では、受信したＦＭ多重データに電話番号情報や住所情報が含まれていた場合、制御部は、電話番号／住所変換部および地図情報格納部を用いてその位置を示す地図情報を作成して、表示部に表示する。そのため、本発明によれば、ユーザは、電話番号情報や住所情報が示す位置を視覚的に把握することができるようになる。
【０００８】
また、本発明の他のＦＭ多重受信機内蔵携帯電話端末装置は、現在の位置情報を取得するＧＰＳ受信機をさらに備え、
前記制御部は、前記ＦＭ多重復調部により復調されたＦＭ多重データに住所情報または電話番号情報が含まれていた場合、前記住所情報の示す位置と前記ＧＰＳ受信機により取得された現在の位置、または前記電話番号情報に対応する住所情報の示す位置と前記ＧＰＳ受信機により取得された現在の位置との間の距離が、予め設定された一定の距離以内の場合には、ユーザに対してその旨の通知を行う。
【０００９】
本発明では、受信したＦＭ多重データに電話番号情報や住所情報が含まれていた場合、制御部は、電話番号／住所変換部および地図情報格納部を用いてその位置を示す地図情報を作成して表示部に表示するとともに、その位置と現在の位置との間の距離が一定距離以内の場合には、ユーザに対して通知を行うようにしている。そのため、本発明によれば、ユーザは、電話番号情報や住所情報が示す位置を視覚的に把握できるようになるとともに、その場所が現在位置から遠いのか近いのかを把握することが可能となる。
【００１０】
また、前記一定の距離を設定するための手段をさらに備えるようにしてもよい。さらに、前記制御部は、予め設定された縮尺に基づいて前記表示部に表示する地図の縮尺を選択する機能を備えるようにしてもよい。
【発明の効果】
【００１１】
以上説明したように、本発明によれば、下記のような効果を得ることができる。
（１）受信したＦＭ多重データに電話番号情報や住所情報が含まれていた場合、その位置を示す地図情報が表示部に表示されるので、ユーザは、電話番号情報や住所情報が示す位置を視覚的に把握することができるようになる。
（２）ＧＰＳ受信機をさらに備えた場合には、電話番号情報や住所情報が示す位置と現在の位置との間の距離が一定距離以内の場合には、ユーザに対して通知が行われるため、その場所が現在位置から遠いのか近いのかを把握することが可能となる。
【発明を実施するための最良の形態】
【００１２】
次に、本発明の実施の形態について図面を参照して詳細に説明する。
【００１３】
（第１の実施形態）
先ず、本発明の第１の実施形態のＦＭ多重受信機内蔵携帯電話端末装置について説明する。図１は本発明の第１の実施形態のＦＭ多重受信機内蔵携帯電話端末装置の構成を示すブロック図である。
【００１４】
本実施形態のＦＭ多重受信機内蔵携帯電話端末装置は、ＦＭ多重データに含まれる住所情報や電話番号情報を、視覚的に地図上に表示するようにしたものである。
【００１５】
本実施形態のＦＭ多重受信機内蔵携帯電話端末装置は、図１に示されるように、ＦＭ多重放送を受信するためのＦＭチューナ１と、ＦＭ多重データを復調するＦＭ多重復調部２と、ＦＭ音声信号を出力するスピーカ部３と、ＦＭ多重復調部２からのデータを表示させるなどの処理を行なう制御部として機能するＣＰＵ４と、表示制御を行なうＬＣＤ制御ドライバ５と、地図情報が表示可能な表示部であるＬＣＤ６と、ユーザのキー入力を受け付けるキー入力部７と、ＣＰＵ４からの信号を変復調し送受信する変復調部８、送受信部９と、地図情報格納部１０と、電話番号／住所変換部１１とから構成される。なお、ＦＭチューナ１とＦＭ多重復調部２によりＦＭ多重受信機が構成される。
【００１６】
地図情報格納部１０は、ＲＯＭ等により構成され、デジタル化された地図情報が格納されている。尚、本実施形態では、地図情報格納部１０はＲＯＭであるとして説明しているが、本発明はこのような場合に限定されるものではなく、ＨＤＤ等の書き換え可能な記憶媒体を地図情報格納部１０として用いる場合でも同様に適用することができるものである。
【００１７】
電話番号／住所変換部１１は、電話番号情報と住所情報とが対応したデータベースを保持していて、ＣＰＵ４から電話番号情報が入力されるとその電話番号情報に対応する住所情報を検索してＣＰＵ４に出力する。
【００１８】
ここで、全ての個人住宅の電話番号情報と住所情報とを対応させて電話番号／住所変換部１１に格納させておくことは多くの記憶容量が必要となる。しかし、また、ＦＭ多重データには個人住宅の電話番号情報が含まれて送信されてくることはまれであると思われるため、例えば、個人住宅以外の電話番号情報のみに対応しておくだけで充分であると思われる。
【００１９】
ＣＰＵ４は、ＦＭ多重復調部２により復調されたＦＭ多重データに住所情報が含まれていた場合、その住所情報を表示するための地図情報を地図情報格納部１０から取得して住所情報の位置を示してＬＣＤ制御ドライバ５を介してＬＣＤ６に表示させる。またＣＰＵ４は、ＦＭ多重復調部２により復調されたＦＭ多重データに電話番号情報が含まれていた場合、その電話番号情報を電話番号／住所変換部１１に対して出力することにより電話番号情報に対応する住所情報を取得し、取得したその住所情報を表示するための地図情報を地図情報格納部１０から取得して住所情報の位置を示してＬＣＤ制御ドライバ５を介してＬＣＤ６に表示させる。
【００２０】
次に、本実施形態のＦＭ多重受信機内蔵携帯電話端末装置の動作を図１、図２、図３を用いて詳細に説明する。
【００２１】
本実施形態のＦＭ多重受信機内蔵携帯電話端末装置における動作を図２のシーケンスチャートに示す。
【００２２】
先ず、ＦＭチューナ１によって受信された受信信号はＦＭ多重復調部２へ入力される（ステップ１０１）。すると、ＦＭ多重復調部２では、ＦＭ信号の音声信号をスピーカ３へ出力し（ステップ１０２）、多重化されたデジタルデータはＣＰＵ４へ出力する（ステップ１０３）。スピーカ３へ出力された音声信号は従来のＦＭ放送などのように聴くことが可能である。
【００２３】
次に、ＣＰＵ４では、多重化されたデジタルデータを解析し、表示に必要なデータをＬＣＤ制御ドライバ５を経由し、ＬＣＤ６にて表示を行なう（ステップ１０４）。ＬＣＤ６には、現在放送中のＦＭ放送に関連する情報が表示され、関連する住所情報や、電話番号情報などが表示される。
【００２４】
そして、ＣＰＵ４は、ＦＭ多重データに電話番号情報を含まれていることを検出した場合、その電話番号情報を電話番号／住所変換部１１に出力する（ステップ１０４）。すると、ＣＰＵ４からの電話番号情報を入力した電話番号／住所変換部１１では、その電話番号情報に対応する住所情報を検索してＣＰＵ４に出力する（ステップ１０５）。
【００２５】
そして、ＣＰＵ４は、電話番号／住所変換部１１から送られてきた住所情報を元ににして、地図情報格納部１０に地図情報取得要求を行う（ステップ１０６）。ＦＭ多重復調部２からのＦＭ多重データに含まれる情報が住所情報の場合には、ＣＰＵ４は、ステップ１０４、１０５の処理を省略して直接ステップ１０６の処理を行う。そして、地図情報格納部１０では、ＣＰＵ４からの地図情報取得要求に応じた地図情報をＣＰＵ４に送信する（ステップ１０７）。
【００２６】
ＣＰＵ４では、地図情報格納部１０から送られてきた地図情報を用いて、ＬＣＤ制御ドライバ５を介してＬＣＤ６に地図表示を行う（ステップ１０８）。
【００２７】
このようにして地図情報が表示された場合の本実施形態のＦＭ多重受信機内蔵携帯電話端末装置の一例を図３に示す。この図３では、「○○水族館」の位置を示す地図情報がＬＣＤ６に表示された場合の例である。
【００２８】
このような表示が行われることにより、本実施形態のＦＭ多重受信機内蔵携帯電話端末装置によれば、ＦＭ多重データに住所、電話番号等の場所を示す情報が含まれていた場合に、ユーザはその場所を容易に把握することができるようになる。特に、電話番号情報がただ単に表示された場合には、ユーザはその位置を全く把握することができないため、本実施形態によれば、ユーザはその場所がどこかを知ることができ、ただ単に電話番号情報を表示する場合と比較して位置情報の把握が容易となる。
【００２９】
なお、ＬＣＤ６において表示する地図の縮尺を予め設定しておいたり、あとから変更することができるようにすることができる機能をＣＰＵ４に備えるようにしてもよい。
【００３０】
（第２の実施形態）
次に、本発明の第２の実施形態のＦＭ多重受信機内蔵携帯電話端末装置について説明する。
【００３１】
本発明の第２の実施形態のＦＭ多重受信機内蔵携帯電話端末装置の構成を図４に示す。図４において、図１中の構成要素と同一の構成要素には同一の符号を付し、説明を省略するものとする。
【００３２】
本実施形態のＦＭ多重受信機内蔵携帯電話端末装置は、図４に示すように、図１に示した第１の実施形態のＦＭ多重受信機内蔵携帯電話端末装置に対して、現在の位置情報を取得するＧＰＳ（Global Positioning System)受信機１１を追加し、当該携帯電話端末装置の位置情報を取得することができるようにしたものである。
【００３３】
本実施形態におけるＣＰＵ４は、ＦＭ多重復調部２により復調されたＦＭ多重データに住所情報または電話番号情報が含まれていた場合、住所情報の示す位置とＧＰＳ受信機１２により取得された現在の位置、または電話番号情報に対応する住所情報の示す位置とＧＰＳ受信機１２により取得された現在の位置との間の距離が、予め設定された一定の距離以内の場合には、ユーザに対してその旨の通知を行う。
【００３４】
そして、本実施形態におけるＣＰＵ４は、ＦＭ多重復調部２からのＦＭ多重データに住所情報等が含まれる場合には、その位置情報を表示するのに加えて、ＧＰＳ受信機１２により得られた当該携帯電話端末装置の現在の位置と表示した住所情報の示す位置との間の距離が一定距離以内の場合には、スピーカ３やバイブレータ等によりユーザに対してその旨の通知を行う。
【００３５】
例えば、ＦＭ多重放送で映画館の住所が送られてきた場合、その映画館の位置を地図上に表示する。そしてＧＰＳ受信機能を備えている場合には、現在位置から一定距離（例えば１０ｋｍ）以内であればユーザに通知を行う。これにより、ユーザは、ＦＭ多重放送により送られてくる住所や電話番号の位置を視覚的に把握することができ、通知を行う機能によりその場所が現在位置から近いのか遠いのか知ることが可能となる。
【００３６】
尚、キー入力部７等を用いることにより、ユーザに対して通知を行うか否かの判定基準となる一定の距離を、ユーザの入力により設定することができるようにしてもよい。
【図面の簡単な説明】
【００３７】
【図１】本発明の第１の実施形態のＦＭ多重受信機内蔵携帯電話端末装置の構成を示すブロック図である。
【図２】図１のＦＭ多重受信機内蔵携帯電話端末装置の動作を示すシーケンスチャートである。
【図３】図１のＦＭ多重受信機内蔵携帯電話端末装置における表示例を示す図である。
【図４】本発明の第２の実施形態のＦＭ多重受信機内蔵携帯電話端末装置の構成を示すブロック図である。
【符号の説明】
【００３８】
１    ＦＭチューナ
２    ＦＭ多重復調部
３    スピーカ部
４    ＣＰＵ
５    ＬＣＤ制御ドライバ
６    ＬＣＤ
７    キー入力部
８    変復調部
９    送受信部
１０    地図情報格納部（ＲＯＭ）
１１    電話番号／住所変換部
１２    ＧＰＳ受信機
１０１〜１０８    ステップ
【図１】
2005340915.tif 000003
【図２】
2005340915.tif 000004
【図３】
2005340915.tif 000005
【図４】
2005340915.tif 000006